(57)【特許請求の範囲】
【請求項１】
水とともに送り込んだ厨芥を粉砕するディスポーザと、
有底筒形状をなすかご型で軸心を中心として回転し、前記ディスポーザで粉砕後の厨芥を水とともに送り込んだとき、その水を遠心力で周壁小穴から外部へと放出するストレーナと、
各々そのストレーナの周壁内面と同一曲率で外周をつくり、厨芥を乗せる上面を有し、各々別個の弾性部で個別に付勢してそれぞれの外周を前記ストレーナの周壁内面に押し当てて多段に設け、前記ストレーナの回転方向に向けてのばし、各々の上面を前記ストレーナの回転方向上流から下流に向けて漸次高くし、前記ストレーナの回転にともないその上面で案内して下段のもので上方に押し上げた脱水後の厨芥を順次上段のものでさらに上方へと押し上げ、前記ストレーナの上部開口から回収室に送り出す複数のブレードと、
を備える、厨芥処理装置。
【請求項２】
前記複数のブレードと、それらの各々の上流端側からのびる弾性部と、その弾性部を介して前記ブレードを支持する支持部とを樹脂材料で一体成型で形成してなる、請求項１に記載の厨芥処理装置。
【請求項３】
前記複数のブレードの各々の外周面と前記弾性部がのびる方向とのなす角度を、前記外周面と前記上流端側端面とがなす角度以下としてなる、請求項２に記載の厨芥処理装置。
【請求項４】
前記複数のブレードの各々の外周面と上流端側の端面とがなすコーナーに、丸みを設けてなる、請求項１に記載の厨芥処理装置。
【発明の詳細な説明】
【０００１】
【産業上の利用分野】
この発明は、たとえばシンクの排水口に接続して流し台内に設置し、排水口から水とともに排出する生ゴミ等の厨芥を脱水し、水と脱水後の厨芥とに分離処理する厨芥処理装置に関する。
【０００２】
【従来の技術】
従来、この種の厨芥処理装置では、シンク等の排水口から水とともに排出した厨芥をディスポーザで粉砕し、その粉砕後の厨芥をかご型のストレーナに入れ、そのストレーナを高速回転して遠心力により該ストレーナの周壁小穴を通して脱水し、その脱水により生じた水を排水路を通して下水へと排水していた。
【０００３】
【発明が解決しようとする課題】
ところが、このような従来の厨芥処理装置では、多くの場合、ストレーナの周壁内面に付着した厨芥をきれいに取り除くことが困難であり、やがて目詰まりを生ずる問題があった。
【０００４】
そこで、この発明の目的は、そのような従来の問題を解決し、ストレーナの周壁内面に付着した厨芥をきれいに取り除くことができる厨芥処理装置を得ることにある。
【０００５】
【課題を解決するための手段】
そのため、この発明の厨芥処理装置１０は、たとえば以下の図示実施例に示すとおり、水とともに送り込んだ厨芥を粉砕するディスポーザ２０と、有底筒形状をなすかご型で軸心を中心として回転し、前記ディスポーザ２０で粉砕後の厨芥を水とともに送り込んだとき、その水を遠心力で周壁小穴３２から外部へと放出するストレーナ１５と、各々そのストレーナ１５の周壁内面１５ｃと同一曲率で外周をつくり、厨芥を乗せる上面ａを有し、各々別個の弾性部で個別に付勢してそれぞれの外周を前記ストレーナ１５の周壁内面１５ｃに押し当てて多段に設け、前記ストレーナ１５の回転方向Ａに向けてのばし、各々の上面ａを前記ストレーナ１５の回転方向Ａ上流から下流に向けて漸次高くし、前記ストレーナ１５の回転にともないその上面ａで案内して下段のもので上方に押し上げた脱水後の厨芥を順次上段のものでさらに上方へと押し上げ、前記ストレーナ１５の上部開口３３から回収室１２に送り出す複数のブレード３０と、を備えることを特徴とする。
【０００６】
請求項２に記載のものは、たとえば以下の図示実施例に示すとおり、請求項１に記載の厨芥処理装置１０において、前記複数のブレード３０と、それらの各々の上流端側からのびる板ばね２８の弾性部２４のような弾性部と、その弾性部を介して前記ブレード３０を支持する支持部材２７のような支持部とを樹脂材料で一体成型で形成してなる、ことを特徴とする。
【０００７】
請求項３に記載のものは、たとえば以下の図示実施例に示すとおり、請求項２に記載の厨芥処理装置１０において、前記複数のブレード３０の各々の外周面ｂと前記弾性部がのびる方向とのなす角度αを、前記外周面と前記上流端側端面ｄとがなす角度β以下としてなる、ことを特徴とする。
【０００８】
請求項４に記載のものは、たとえば以下の図示実施例に示すとおり、請求項１に記載の厨芥処理装置１０において、前記複数のブレード３０の各々の外周面ｂと上流端側の端面ｄとがなすコーナーｃに、丸みを設けてなる、ことを特徴とする。
【０００９】
【作用】
そして、この発明では、厨芥を水とともにディスポーザ２０内に送り込んでそのディスポーザ２０で粉砕し、その粉砕後の厨芥を水とともに、軸心を中心として回転するストレーナ１５内に入れ、水を遠心力で該ストレーナ１５の周壁小穴３２から外部へと放出して脱水するとともに、ストレーナ１５の回転にともないブレード３０の上面ａで案内し、下段のブレード３０で上方に押し上げた脱水後の厨芥を順次上段のブレード３０でさらに上方へと押し上げ、ストレーナ１５の上部開口３３から回収室１２へと排出する。
【００１０】
請求項２に記載のものでは、複数のブレード３０を弾性部を介して支持部で支持し、弾性部で付勢して各々のブレード３０をストレーナ１５の周壁内面１５ｃに押し当てる。
【００１１】
請求項３に記載のものでは、脱水時、たとえばストレーナ１５内に粘着性の高い厨芥が多量に流れ込み、その塊がブレード３０の上流端に衝突して一部がその上流端の上面に乗り、続いて後から衝突するものに押し出されて弾性部寄りへ移動したとき、その移動方向前方にこの厨芥の移動を妨げるものがないため、この粘着性厨芥が上流端の上からストレーナ１５の下方に落下する。
【００１２】
請求項４に記載のものでは、ストレーナ１５の回転にともない厨芥がブレード３０に当たっても、ブレード３０のコーナーｃに刺さらない。
【００１３】
【実施例】
以下、図面を参照しつつ、この発明の実施例について説明する。
図６には、この発明の一実施例である厨芥処理装置の構成と、その設置状態を示す。
【００１４】
図中符号１０で、この厨芥処理装置を示す。厨芥処理装置は、符号１１で示す本体ケースの図中左側に厨芥の回収室１２を設け、その回収室１２の横で上下にストレーナ収納室１３およびモータ収納部１４を設ける。そして、ストレーナ収納室１３内に、有底筒形状をなすかご型のストレーナ１５を備え、モータ収納部１３内にモータ１６を備える。しかして、ストレーナ１５の底壁１５ａの中心部に、モータ１６の駆動軸１６ａを接続し、その駆動軸１６ａで円筒周壁１５ｂの軸線を中心としてストレーナ１５を回転自在に支持する。
【００１５】
さらに、そのストレーナ１５の上部から回収室１２側へ厨芥の回収通路１７を設ける一方、ストレーナ収納室１３の底部から下向きに排水路１８を設けてなる。回収通路１７には、その内面に沿って網状部材１９を設ける。回収室１２内には、図示しない厨芥回収袋を取替自在に備える。
【００１６】
そして、この厨芥処理装置１３は、本体ケース１１の上側に、ディスポーザ２０に入口側の一端を接続した供給管２１を接続してなる。しかして、その供給管２１の他端をストレーナ１５内に深く挿入してなる。そうして、ディスポーザ２０を、排水管２２を介して流し台のシンク２３に取り付けてなる。
【００１７】
ところで、上記した厨芥処理装置１０において、ストレーナ１５は、たとえばステンレス製で、その円筒周壁１５ｂに多数の小穴３２を設けてなる。そして、図６では省略するが、このストレーナ１５の上側で本体ケース１１に蓋部材を取り付け、図１に示すように、その蓋部材２５で一部逃げ２６を残してストレーナ１５を被ってなる。
【００１８】
蓋部材２５には、その円弧状の外縁寄りに供給管２１が挿通する長穴２５ａを設けるとともに、その長穴２５ａの逃げ２６側の上面に上向きに立ち上がる位置決めリブ２５ｂを設ける。そして、その位置決めリブ２５ｂの図１中左横に、支持部材２７を取り付ける。
【００１９】
支持部材２７は、Ｌ状板材でつくり、図２に示すように、一方の短い水平板部２７ａの外縁に上向きの立上り片２７ｂを設け、他方の長い垂直板部２７ｃの一側縁にそこから横に互いに平行に伸びる複数の突部２７ｄを設けてなる。そして、図１に示すように、垂直板部２７ｂｃをストレーナ１５内へ垂下し、立上り片２７ｂの一側を位置決めリブ２５ｂに当てがって位置決めし、水平板部２７ａを蓋部材２５上にねじ止めする。しかして、垂直板部２７ｃには、図３に示すように板ばね２８を取り付けてなる。
【００２０】
板ばね２８は、垂直板部２７ｃに取り付ける縦長な取付板部２９と、その取付板部２９から一側から互いに平行にのびる細長な複数の弾性部２４とからなる。それら弾性部２４は、取付板部２９を垂直板部２７ｃに取り付けたとき、各突部２７ｄと対応する高さ位置に多段に設け、各々の先端２４ａに樹脂製のブレード３０を埋込成型により一体的に設けてなる。
【００２１】
各ブレード３０は、図１に示すように、弾性部２４の先端２４ａを取り付けた支持部３０ａと、そこからＵ状に折り返して形成した押当部３０ｂとからなる。押当部３０ｂは、ストレーナ１５の周壁内面１５ｃと同一曲率でわん曲してストレーナ１５の回転方向（図１中矢印Ａ方向）にのばし、その上面ａを回転方向Ａ上流から下流に向け、図３に示すごとく漸次高く形成してなる。
【００２２】
さらに、ブレード３０には、図４に示すように、それぞれ押当部３０ｂの外周面ｂと、支持部３０ａの上流端側端面ｄとがなすコーナーｃに、丸みを設けてなる。
【００２３】
そして、これらブレード３０を、板ばね２８の各々の弾性部２４で個別に付勢し、図１に示すように、押当部３０ｂの外周面ｂをそれぞれストレーナ１５の周壁内面１５ｃに押し当てて上下多段に配置する。この場合、板ばね２８は、図５でも示すように、支持部材２７の各々の突部２７ｄから弾性部２４を、それぞれ押当部３０ｂ寄りに突出するように湾曲させてブレード３０に付勢力を付与する。そして、ブレード３０の各々の押当部３０ｂの外周面ｂと、板ばね２８の弾性部２４の先端側（上流端側）２４ａとのなす角度αが、取付部３０ａの上流端側端面ｄとがなす角度β以下、となるように弾性部２４を配置する。しかして、取付部３０ａの上面から図５中矢印イで示す水平方向前方に逃げ空間４０を形成してなる。
【００２４】
さて、図６において、上述の厨芥処理装置１０を使用するときは、図示しない電源スイッチをオンし、デイスポーザ２０のモータ（図示省略）およびストレーナ１５のモータ１６を駆動する。そして、シンク２３で発生した厨芥を、水とともに排水管２２から排出してディスポーザ２０に入れる。しかして、ディスポーザ２０で厨芥を粉砕し、その粉砕した厨芥を供給管２１を通して、モータ１６で高速回転するストレーナ１５内に入れる。
【００２５】
そして、ストレーナ１５内に入れた水とともに厨芥に遠心力を与え、その厨芥を周壁内面１５ｃに付着する。しかして、遠心力により周壁小穴３２を通して脱水し、その脱水により生じた水をストレーナ収納室１３に放出し、さらに排水路１８を通して下水管へと排水する。
【００２６】
一方、脱水後の厨芥は、ストレーナ１５の周壁内面１５ｃに付着するが、ストレーナ１５の回転にともないブレード３０の押当部３０ｂの上面ａで案内し、下段のブレード３０で上方に押し上げた脱水後の厨芥を順次上段のブレード３０でさらに上方へと押し上げる。
【００２７】
そして、この押し上げた厨芥を、ストレーナ１５の上部開口３３から溢れ出させて回収通路１７へ放出し、回収通路１７の内面に付着することを網状部材１９で防止しながら、回収室１２内の厨芥回収袋に入れる。その後、厨芥回収袋に厨芥が溜ったときそれを取り出し、新しいものと取り替える。
【００２８】
ところで、図示実施例において、脱水時、ストレーナ１５内に流れ込む厨芥の中に、たとえば鳥の骨等のように比較的強度のある厨芥を含む場合があり、その厨芥がブレード３０に衝突すると、その衝撃でブレード３０が瞬間的に周壁内面１５ｃから離れるおそれがある。また、ストレーナ１５の高速回転により、周壁内面１５ｃに局部的に歪みを発生する場合があり、このときに、その歪みによりブレード３０が瞬間的に周壁内面１５ｃから離れるおそれがある。
【００２９】
しかし、そのような場合、この実施例では、複数のブレード３０は、各々個別に付勢して周壁内面１５ｃに押し当てているため、瞬間的に周壁内面１５ｃから離れることがあったも、鳥の骨等の衝突したものや周壁内面１５ｃの歪みと対応する高さのものだけが個別に離れるだけで、他のブレード３０は周壁内面１５ｃに追従して押し当て状態にあり、周壁内面１５ｃから離れず厨芥を上方に押し上げていく。
【００３０】
また、図示実施例では、脱水時に、ストレーナ１５内に流れ込んだ厨芥が、図４中矢印Ｂで示すように移動してブレード３０のコーナーｃに衝突することがある。しかし、この実施例では、コーナーｃが丸みをなすために、そのように厨芥が衝突しても、このコーナーｃに刺さるようなことがない。
【００３１】
さらに、図示実施例では、脱水時に、ストレーナ１５内に粘着性の高い厨芥が多量に流れ込み、その塊が、図５に示すブレード３０のコーナーｃに衝突して一部が支持部３０ａの上に乗ってしまうことがある。
【００３２】
その場合、支持部３０ａ上の粘着性厨芥は、続いて後からコーナーｃに衝突するものに押されて徐々に図中矢印イ方向に移動する。このとき、図示実施例では、その移動方向イの前方に厨芥の移動を妨げるものがないため、そのうちに支持部３０ａ上から粘着性厨芥が逃げ空間４０を通ってストレーナ１５の下方へ落下する。そして、そのような粘着性厨芥が支持部３０ａの上にそのまま堆積したり、板ばね２８の弾性部２４に付着して堆積したりすることを阻止する。
【００３３】
なお、上述した図示実施例では、支持部材２７と板バネ２８とブレード３０をそれぞれ個別の部材で形成した。しかし、この発明では、図示しないが、たとえば複数のブレードの各々の上流端側からのびる弾性部と、その弾性部を介してブレードを支持する支持部とを樹脂材料で一体成型で形成することもできる。
【００３４】
【発明の効果】
したがって、この発明によれば、複数のブレードをストレーナの周壁内面に押し当てて多段に設け、そのストレーナの回転にともない、ブレードの上面で案内して下段のもので上方に押し上げた脱水後の厨芥を、順次上段のものでさらに上方へと押し上げてストレーナの上部開口から送り出すことから、そのストレーナの周壁内面に付着した厨芥をきれいに取り除くことができる。
【００３５】
さらに、それら複数のブレードを一体に付勢するのではなく、各々別個の弾性部で個別に付勢してそれぞれの外周をストレーナの周壁内面に押し当てる構成とするから、脱水時に、たとえばストレーナ内で鳥の骨等のように比較的強度のある厨芥がブレードに衝突しその衝撃でブレードが瞬間的に周壁内面から離れることがあっても、その衝撃を受けたものが個別に周壁内面から離れるだけで、他のブレードは周壁内面に追従してそのままの押し当て状態とし、これにより、ブレードと周壁内面の間に厨芥が挟まることをできるだけ防止し、ブレードによる厨芥の取り除きをより確実にすることができる。
【００３６】
請求項２に記載のものによれば、複数のブレードの各々の上流端側からのびる弾性部と、その弾性部を介してブレードを支持する支持部とを樹脂材料で一体成型で形成するから、それだけ部品点数を削減してコストを下げることができる。
【００３７】
請求項３に記載のものによれば、複数のブレードの各々の外周面と、それらブレードを付勢する前記弾性部がのびる方向とのなす角度が、前記外周面と上流端側端面とがなす角度以下、になるようにブレードと弾性部を配置することから、たとえばストレーナ内に粘着性の高い厨芥が多量に流れ込み、その塊がブレードの上流端に衝突して一部がその上流端の上に乗り、続いて後から衝突するものに押されて弾性部寄りへ移動したとき、その前方にこの厨芥の移動を妨げるものがなく、これにより、粘着性厨芥を上流端の上からそのままストレーナの下方へと落とすことができ、その結果、粘着性厨芥が上流端の上に堆積したり、弾性部に付着してそこに堆積したりすることを防止することができる。
【００３８】
請求項４に記載のものによれば、複数のブレードの各々の外周面と上流端側端面とがなすコーナーに、丸みを設けることから、ストレーナの回転にともない厨芥がブレードに当たったときに、ブレードのコーナーに刺さることがなく、これにより、そのコーナーに刺さった厨芥が障害となって厨芥の取り除きが阻害されることを防止することができる。
【図面の簡単な説明】
【図１】この発明の一実施例である厨芥処理装置に備えるストレーナの構造を、蓋部材で被った状態で示す平面図である。
【図２】その蓋部材に取り付ける支持部材の斜視図である。
【図３】その支持部材に板ばねを介してブレードを取り付けた取付状態説明図である。
【図４】図１に示すブレードの上流端側の部分拡大図である。
【図５】支持部材と板ばねとブレードの配置関係を示す図１の部分平面図である。
【図６】上記厨芥処理装置の構成と、その設置状態を示す構成設置説明図である。
【符号の説明】
１０    厨芥処理装置
１２    回収室
１５    ストレーナ
１５ｃ  周壁内面
２０    ディスポーザ
２４    板ばねの弾性部（弾性部）
２７    支持部材（支持部）
３０    ブレード
３２    周壁小穴
３３    上部開口
Ａ      ストレーナの回転方向
ａ      ブレードの上面
ｂ      外周面
ｃ      コーナー
ｄ      上流端側端面
α・β  角度
【図１】
0003543873.tif 000002
【図２】
0003543873.tif 000003
【図３】
0003543873.tif 000004
【図４】
0003543873.tif 000005
【図５】
0003543873.tif 000006
【図６】
0003543873.tif 000007